(57)【要約】【課題】花粉症などのアレルギ性鼻炎の症状を効果的に抑制することが可能な鼻部冷却用品を提供する。【解決手段】冷却材２を利用した冷却面Ｃｆを有しており、使用者Ｕの鼻部を冷やすのに用いられる、鼻部冷却用品Ａ１であって、冷却面Ｃｆは、使用者Ｕの外鼻９０を覆って冷やすための第１領域ＡＲ１と、使用者Ｕの頬のうち、鼻翼の側方部分９１を覆って冷やすための第２領域ＡＲ２と、を備えている。【選択図】  図３
2015109944.tif 000002
【特許請求の範囲】
【請求項１】
冷却材を利用した冷却面を有しており、かつ使用者の鼻部を冷やすのに用いられる、鼻部冷却用品であって、
前記冷却面は、
使用者の外鼻に接触させてこの外鼻を冷やすための第１領域と、
使用者の頬のうち、鼻翼の側方部分に接触させてこの部分を冷やすための第２領域と、
を備えていることを特徴とする、鼻部冷却用品。
【請求項２】
請求項１に記載の鼻部冷却用品であって、
前記第２領域には、この第２領域を前記鼻翼の側方部分に接触させた際に、この側方部分の一部を押圧するのに利用可能な凸部が設けられている、鼻部冷却用品。
【請求項３】
請求項２に記載の鼻部冷却用品であって、
前記第２領域として、左右一対の第２領域を備えているとともに、
前記凸部として、左右一対の凸部を備えており、
使用者の頬のうち、鼻翼の左右両側方部分を前記一対の第２領域を利用して冷やしつつ、前記鼻翼の左右両側方部分のそれぞれの一部を前記一対の凸部を利用して押圧することが可能とされている、鼻部冷却用品。
【請求項４】
請求項３に記載の鼻部冷却用品であって、
偏平状の袋体内に前記冷却材が収容された冷却シート体を備えており、
この冷却シート体の片面のうち、左右横幅方向の中央寄り領域が、前記第１領域であり、かつ前記片面の下部寄り領域のうち、前記第１領域を挟んでその左右両側に位置する領域が、前記一対の第２領域である、鼻部冷却用品。
【請求項５】
請求項４に記載の鼻部冷却用品であって、
前記冷却シート体の左右横幅方向の略中央部には、前記冷却材が未収容の領域とされ、かつ前記第１領域を左右２つの領域に区分するように縦方向に延びた帯状または線状のヒンジ部が設けられており、
前記冷却シート体は、前記ヒンジ部を介して略Ｖ字状に曲げることが可能とされている、鼻部冷却用品。
【請求項６】
請求項２に記載の鼻部冷却用品であって、
偏平状の袋体内に前記冷却材が収容された冷却シート体を備えており、
この冷却シート体の左右横幅方向の略中央部には、前記凸部が設けられ、かつこの凸部の周辺領域が前記第２領域とされており、
前記第２領域を使用者の鼻翼の左右両側方部分の一方に接触させた際には、前記冷却シート体の左右横幅方向の一側縁寄り領域を、前記第１領域として使用者の外鼻に接触させることが可能とされ、
前記第２領域を使用者の鼻翼の左右両側方部分の他方に接触させた際には、前記冷却シート体の左右横幅方向の他側縁寄り領域を、前記第１領域として使用者の外鼻に接触させることが可能とされている、鼻部冷却用品。
【請求項７】
請求項２または３に記載の鼻部冷却用品であって、
前記冷却材として、水分蒸発時に気化熱を奪う作用を発揮する含水ゲルが用いられ、かつこの含水ゲルが可撓性を有する基材シートの片面に設けられた構成を有する冷却シート体を備えており、
前記含水ゲルの表面が、前記冷却面とされている、鼻部冷却用品。
【請求項８】
請求項４ないし７のいずれかに記載の鼻部冷却用品であって、
使用者が把持することが可能なハンドルおよびこのハンドルへの着脱が可能な補助部材を、さらに備えており、
前記ハンドルには、このハンドルと前記補助部材との両者によって前記冷却シート体を挟み付けるようにして前記冷却シート体を保持させることが可能とされ、
前記補助部材は、前記凸部を兼用している、鼻部冷却用品。
【請求項９】
請求項１ないし８のいずれかに記載の鼻部冷却用品であって、
前記冷却面は、使用者の目を覆って冷やすための第３領域を、さらに備えている、鼻部冷却用品。
【発明の詳細な説明】
【技術分野】
【０００１】
本発明は、花粉症などのアレルギ性鼻炎の症状緩和などに好適な鼻部冷却用品に関する。
【背景技術】
【０００２】
従来、アレルギ性鼻炎の症状を緩和するための手段として、特許文献１の鼻部保温具や、特許文献２に記載の鼻部冷却シートがある。
特許文献１に記載の鼻部保温具は、保温シートを用いて使用者の鼻腔または副鼻腔を温めるようにしたものである。
一方、特許文献２に記載の鼻部冷却シートは、不織布などの基材の片面にゲル状の保冷材の層を設け、これをカバーシートによって覆ったものである。この鼻部冷却シートは、鼻腔または副鼻腔を覆うことが可能な形状とされ、または任意の大きさに切断可能とされている。
【０００３】
しかしながら、前記従来技術においては、次に述べるように、改善すべき余地があった。
【０００４】
特許文献１に記載の鼻部保温具は、花粉症などのアレルギ性鼻炎が発症した場合に、鼻部を温めるためのものである。ところが、このような手段によれば、鼻部を温めることによるアレルギ性鼻炎の症状緩和作用は一時的なものに過ぎず、比較的短い時間が経過すると、くしゃみや鼻水などのアレルギ性鼻炎の症状が繰り返される。花粉症などのアレルギ性鼻炎は、花粉などのアレルギ源を異物とみなした上での人体の免疫機能の過剰反応であり、その際には血管が拡がり、この血管から水分などが染み出して鼻腔内の粘膜が腫れ上がるといった症状を引き起こす。これに対し、特許文献１に記載されているように、前記した症状を生じている鼻部を温めたとしても、このことは、いわば一時的なショック療法に過ぎず、前記した症状に対して好適に対処しているとは言い難い。
【０００５】
一方、特許文献２に記載の鼻部冷却シートは、鼻腔または副鼻腔を冷却するものである。このため、特許文献１の場合と比較すると、アレルギ性鼻炎の症状緩和効果に優れたものとすることが可能である。
しかしながら、アレルギ性鼻炎の症状の効果的な抑制は、「鼻腔または副鼻腔を冷やす」という抽象的な手段によって効果的に達成されるものではなく、より具体性が求められる。たとえば、副鼻腔としては、前頭洞、篩骨洞、蝶形洞、および上顎洞があるが、これらのうちのどの部位を冷やすことが最も効果的であるのかは、特許文献２においては明らかにされていない。特許文献２の図１には、矩形状の冷却シートが、患者の額に貼付され、患者の副鼻腔のうち、前頭洞が冷却されている。ところが、このような使用方法によれば、後述する本発明の説明から理解されるように、アレルギ性鼻炎の症状を十分効果的に抑制することができるとは言い難い。また、特許文献２の段落〔００２０〕には、シートを鼻部の発熱部位に貼着する旨の記載があるが、そもそも、一般の患者にとって、鼻部の何れの部分がとくに発熱しているのかといった判断を的確に行なうことも困難である。したがって、特許文献２においても、アレルギ性鼻炎を効果的に抑制する上で、改善の余地があった。
【先行技術文献】
【特許文献】
【０００６】
【特許文献１】特開平７−１７１１７６号公報
【特許文献２】特開２０１２−４５１０１号公報
【発明の概要】
【発明が解決しようとする課題】
【０００７】
本発明は、前記したような事情のもとで考え出されたものであり、花粉症などのアレルギ性鼻炎の症状を効果的に抑制するのに好適な鼻部冷却用品を提供することを、その課題としている。
【課題を解決するための手段】
【０００８】
上記の課題を解決するため、本発明では、次の技術的手段を講じている。
【０００９】
本発明により提供される鼻部冷却用品は、冷却材を利用した冷却面を有しており、かつ使用者の鼻部を冷やすのに用いられる、鼻部冷却用品であって、前記冷却面は、使用者の外鼻に接触させてこの外鼻を冷やすための第１領域と、使用者の頬のうち、鼻翼の側方部分に接触させてこの部分を冷やすための第２領域と、を備えていることを特徴としている。
【００１０】
このような構成によれば、次のような効果が得られる。
花粉症などのアレルギ性鼻炎を発症した際には、鼻部およびその周辺部が発熱するのに対し、本発明の鼻部冷却用品を使用すれば、第１領域によって使用者の外鼻およびその奥部を冷し、かつ第２領域によって使用者の頬のうち、鼻翼の側方部分およびその奥部を冷やすことができる。ここで、鼻翼の側方部分の奥部には、使用者の頸部から上向きに延びた顔面動脈の末端部近傍が存在し、かつ多数の顔面静脈が集中して存在している。これに対し、本発明によれば、そのような部分を的確に、かつ効率的に冷し、前記した各血管の拡張を抑制することができる。換言すると、本発明によれば、使用者の頸部から鼻部に向かって血液が供給される経路のうち、鼻部の手前側の部分において血管を冷却し、鼻部への血流を抑えることができることとなる。このため、たとえば特許文献２に例示されているように、使用者の額を冷やす手段とは異なり、鼻部全域に流れていく血液の量を減らし、アレルギ症状をより効果的に抑制することが可能となる。
このようなことから、本発明によれば、特許文献１，２と比較して、アレルギ性鼻炎の症状を迅速に解消する効果に優れ、しかもそれらの症状が抑制された状態を長時間にわたって持続させる効果が期待できる。このことは、後述する実証例からも理解されよう。
【００１１】
本発明において、好ましくは、前記第２領域には、この第２領域を前記鼻翼の側方部分に接触させた際に、この側方部分の一部を押圧するのに利用可能な凸部が設けられている。
【００１２】
このような構成によれば、鼻部冷却用品を用いて、使用者の鼻翼（小鼻）の側方部分を冷却している際に、その奥に存在する血管群を前記凸部によって圧迫し、前記血管群の血流を弱めることができる（前記凸部を利用し、つぼ「迎香」を部分的に圧迫することができる）。その結果、アレルギ性鼻炎の症状をより効果的に抑制することが可能となる。
【００１３】
本発明において、好ましくは、前記第２領域として、左右一対の第２領域を備えているとともに、前記凸部として、左右一対の凸部を備えており、使用者の頬のうち、鼻翼の左右両側方部分を前記一対の第２領域を利用して冷やしつつ、前記鼻翼の左右両側方部分のそれぞれの一部を前記一対の凸部を利用して押圧することが可能とされている。
【００１４】
このような構成によれば、１つの鼻部冷却用品によって所望の部位を効率よく冷やし、鼻部冷却効果を高いものとすることができる。
【００１５】
本発明において、好ましくは、偏平状の袋体内に前記冷却材が収容された冷却シート体
を備えており、この冷却シート体の片面のうち、左右横幅方向の中央寄り領域が、前記第１領域であり、かつ前記片面の下部寄り領域のうち、前記第１領域を挟んでその左右両側に位置する領域が、前記一対の第２領域である。
【００１６】
このような構成によれば、本発明が意図する鼻部冷却用品を、簡易な構成によって廉価に実現することができる。冷却シート体は、たとえば冷蔵庫を利用して冷却することにより、鼻部の冷却に繰り返し使用することが可能である。
【００１７】
本発明において、好ましくは、前記冷却シート体の左右横幅方向の略中央部には、前記冷却材が未収容の領域とされ、かつ前記第１領域を左右２つの領域に区分するように縦方向に延びた帯状または線状のヒンジ部が設けられており、前記冷却シート体は、前記ヒンジ部を介して略Ｖ字状に曲げることが可能とされている。
【００１８】
このような構成によれば、たとえば冷却シート体を冷却した際に、冷却材が硬くなったとしても、この冷却シート体は、冷却材が未収容であるヒンジ部を介して略Ｖ字状に容易に曲げることが可能である。したがって、左右２つの領域に区分された第１領域によって使用者の外鼻をその左右両側から適切に覆うこと、および左右一対の第２領域を使用者の鼻翼の左右両側方の部分近辺に適切に接触させることが容易に行なえることとなる。
【００１９】
本発明において、好ましくは、偏平状の袋体内に前記冷却材が収容された冷却シート体を備えており、この冷却シート体の左右横幅方向の略中央部には、前記凸部が設けられ、かつこの凸部の周辺領域が前記第２領域とされており、前記第２領域を使用者の鼻翼の左右両側方部分の一方に接触させた際には、前記冷却シート体の左右横幅方向の一側縁寄り領域を、前記第１領域として使用者の外鼻に接触させることが可能とされ、前記第２領域を使用者の鼻翼の左右両側方部分の他方に接触させた際には、前記冷却シート体の左右横幅方向の他側縁寄り領域を、前記第１領域として使用者の外鼻に接触させることが可能とされている。
【００２０】
このような構成によれば、１枚の冷却シート体を用いただけでは使用者の鼻翼の左右両側部分を同時に冷やすことはできないものの、冷却シート体を利用して、使用者の鼻翼の左右両側方部分を片側ずつ交互に、かつ適切に冷やすことが可能である。その際、凸部を利用して、鼻翼の側方部分の一部を圧迫することも好適に行なうことができる。したがって、前記構成によっても、本発明が意図する作用を好適に得ることが可能である。一方、冷却シート体の小サイズ化を図ることができるために、製造コストの低減、および取り扱い性の向上などを図ることが可能である。
【００２１】
本発明において、好ましくは、前記冷却材として、水分蒸発時に気化熱を奪う作用を発揮する含水ゲルが用いられ、かつこの含水ゲルが可撓性を有する基材シートの片面に設けられた構成を有する冷却シート体を備えており、前記含水ゲルの表面が、前記冷却面とされている。
【００２２】
このような構成によれば、含水ゲルの表面を使用者の鼻部に接触させれば、この鼻部を冷却する作用が得られることとなり、使用に際し、冷却材を予め冷蔵庫などを用いて冷却しておく必要はない。したがって、たとえば旅行などの外出先で用いるのに好適である。
【００２３】
本発明において、好ましくは、使用者が把持することが可能なハンドルおよびこのハンドルへの着脱が可能な補助部材を、さらに備えており、前記ハンドルには、このハンドルと前記補助部材との両者によって前記冷却シート体を挟み付けるようにして前記冷却シート体を保持させることが可能とされ、前記補助部材は、前記凸部を兼用している。
【００２４】
このような構成によれば、冷却シート体を用いて鼻部を冷やす際に、使用者は冷却シート体を直接手で把持する必要がなく、ハンドルを把持すればよい。したがって、使用者の手が冷たくなることが好適に回避される。また、冷却シート体をハンドルに取り付けるための補助部材が、所望部位を押圧するための凸部を兼用しているために、その構成は合理的である。
【００２５】
本発明において、好ましくは前記冷却面は、使用者の目を覆って冷やすための第３領域を、さらに備えている。
【００２６】
このような構成によれば、使用者の目を冷やし、目のかゆみや充血を緩和する効果も同時に得ることが可能となる。
【００２７】
本発明のその他の特徴および利点は、添付図面を参照して以下に行なう発明の実施の形態の説明から、より明らかになるであろう。
【図面の簡単な説明】
【００２８】
【図１】本発明に係る鼻部冷却用品の一例を示し、（ａ）は、冷却面側からみた正面図であり、（ｂ）は、（ａ）の右側面であり、（ｃ）は、背面図であり、（ｄ）は、（ａ）のId−Id断面図であり、（ｅ）は、（ａ）のIe−Ie断面図である。
【図２】図１に示す鼻部冷却用品を曲げた状態を示す断面図である。
【図３】（ａ），（ｂ）は、図１に示す鼻部冷却用品の使用状態を示す概略正面図である。
【図４】（ａ）は、本発明の他の例を示す正面図であり、（ｂ）は、（ａ）の右側面図であり、（ｃ）は、（ａ）のIVc−IVc断面図である。
【図５】本発明の他の例を示す断面図である。
【図６】（ａ）は、本発明の他の例を示す正面図であり、（ｂ）は、（ａ）に示す鼻部冷却用品の使用例を示す正面図である。
【図７】（ａ）は、本発明の他の例を示す正面図であり、（ｂ）は、（ａ）に示す鼻部冷却用品の使用例を示す正面図である。
【図８】（ａ）は、本発明の他の例を示す正面図であり、（ｂ）は、（ａ）に示す鼻部冷却用品の使用例を示す正面図である。
【図９】本発明の他の例を示す断面図である。
【図１０】（ａ）は、本発明の他の例を示す斜視図であり、（ｂ）は、（ａ）の分解斜視図であり、（ｃ）は、（ａ）のXc−Xc要部断面図であり、(ｄ)は、(ｃ)の分解断面図である。
【図１１】（ａ）は、図１０に示す鼻部冷却用品の冷却シート体の正面図であり、（ｂ）は、（ａ）のXIb−XIb断面図であり、（ｃ）は、（ａ）のXIc−XIc断面図である。
【図１２】（ａ）は、図１０に示す鼻部冷却用品の使用状態の一例を示す正面図であり、（ｂ）は、（ａ）のXIIb−XIIb断面図である。
【図１３】図１０に示す鼻部冷却用品の使用状態の他の例を示す正面図である。
【図１４】本発明の他の例を示す要部断面図である。
【図１５】（ａ）は、本発明の他の例を示す分解斜視図であり、（ｂ）は、（ａ）に示す鼻部冷却用品の使用例を示す正面図である。
【発明を実施するための形態】
【００２９】
以下、本発明の好ましい実施の形態について、図面を参照して具体的に説明する。
【００３０】
図１に示す鼻部冷却用品Ａ１は、冷却シート体Ｓと、血管圧迫用の左右一対の凸部３とを有している。
【００３１】
冷却シート体Ｓは、偏平な袋体１内に冷却材２が収容された構成であり、その正面視形状は、たとえば長円状あるいは楕円状である。冷却シート体Ｓの全体のサイズは、図３を参照して後述する使用時において、使用者Ｕの外鼻９０を覆うのに必要なサイズよりもやや横長のサイズである。ただし、外鼻の大きさは、子供と大人では大きく相違し、また個人差にもバラツキがある。このため、鼻部冷却用品Ａ１としては、冷却シート体Ｓのサイズが異なった複数種類のものを製造して準備しておき、使用者Ｕに合ったサイズのものを提供できるようにすることが好ましい。
【００３２】
冷却材２は、たとえば不凍ゲルであり、保冷剤などにおいて用いられているもの（たとえば特開２００５−１３３０３７号公報に記載のもの）と同様である。冷却シート体Ｓの袋体１は、たとえば表裏２枚の可撓性を有する樹脂製シート１０，１１を重ね合わせて、これらの外周縁どうしを熱シール（溶着または融着）することにより密閉袋体として形成されたものである。冷却シート体Ｓの左右横幅方向中央部には、縦方向に延びた線状または帯状のヒンジ部１２が設けられている。このヒンジ部１２は、樹脂製シート１０，１１どうしの熱シール部分であり、冷却材２が内部に収容されていない部分である。ヒンジ部１２は、図２に示すように、冷却シート体Ｓを略Λ状に曲げることを容易化する役割を果たす部分である。また、冷却シート体Ｓをそのように曲げて用いることを使用者Ｕに容易に察知させる役割を果たす部分でもある。
【００３３】
冷却シート体Ｓは、その全面が所望部位を冷却するための冷却面となり得るものであるが、実質的には、一対の凸部３が設けられている側の片面が鼻部を冷やすための冷却面Ｃｆ、すなわち使用時に内側とされて使用者Ｕの鼻部に接触する面である。この冷却面Ｃｆは、図３（ａ）に示す使用者Ｕの外鼻９０を冷やすための第１領域ＡＲ１、および使用者Ｕの頬のうち、鼻翼（小鼻）の左右両側方部分９１を覆って冷やすための左右一対の第２領域ＡＲ２とを有している。ただし、第１領域ＡＲ１は、既述したヒンジ部１２によって左右２つの領域に仕切られている。第１領域ＡＲ１と第２領域ＡＲ２とは、これらの間に明確な境界はなく、一連に繋がった状態である。ただし、本実施形態とは異なり、第１領域ＡＲ１と第２領域ＡＲ２との境界部分に、たとえばヒンジ部１２と同様なヒンジ部を形成するなどして、前記した境界を明確化してもよい。
【００３４】
一対の凸部３は、鼻翼の左右両側方部分９１の一部を部分的に押圧するための部分であり、たとえば半球状あるいは球状の樹脂製部材を第２領域ＡＲ２に接着させることにより設けられている。冷蔵庫などを用いて冷却材２を冷やした際には、凸部３の温度も低くなり、前記した部分９１を冷やすための部位として利用することができる。このため、凸部３の表面も、本発明でいう冷却面の一部を構成しており、第２領域ＡＲ２の一部に相当している。
【００３５】
次に、前記した鼻部冷却用品Ａ１の作用について説明する。
【００３６】
まず、鼻部冷却用品Ａ１を使用するには、予めこの鼻部冷却用品Ａ１を冷蔵庫などに入れて、冷却材２を冷やしておく。次いで、花粉症などの症状が出た場合、あるいは症状が出ると思われる場合には、図３（ｂ）に示すように、鼻部冷却用品Ａ１を鼻部に押し当てて、鼻部を冷やす。この場合、第１領域ＡＲ１によって外鼻９０を覆って冷やすとともに、第２領域ＡＲ２によって使用者Ｕの鼻翼の左右両側方部分９１を覆って冷やす。図面では省略しているが、鼻部冷却用品Ａ１については、落下・位置ずれを生じないように、使用者Ｕが手で押さえておけばよい。
【００３７】
第１領域ＡＲ１は、ヒンジ部１２を介して左右２つの領域に分かれており、かつ略Λ状に曲げた状態に容易に設定することができるために、外鼻９０の表面の広い範囲に対し、第１領域ＡＲ１を適切に接触させることが可能である。また、冷却シート体Ｓを前記した
ように略Λ状に曲げれば、左右一対の第２領域ＡＲ２および一対の凸部３を鼻翼の左右両側方部分９１に対して好適に接触させることが可能である。
【００３８】
前記したような使用方法によれば、外鼻９０の奥部、および鼻翼の左右両側方部分９１の奥部が冷やされ、これらの部分がアレルギ源に対して過度に反応する症状を抑制することができる。ここで、重要な点は、鼻翼の左右両側方部分９１の奥部には、人間の頸部から鼻部に向かって上向きに血液を供給するための血管（顔面動脈や顔面静脈など）が集中していること、および第２領域ＡＲ２は、そのような部分を効率良く、かつ適切に冷し、そのような部分に存在する多くの血管の拡張を抑え、しかも鼻部への血流をも抑制する役割を発揮することにある。このようなことから、くしゃみや鼻水などのアレルギ性鼻炎の諸症状を早期に緩和し、かつこの緩和状態を長時間にわたって持続させることが可能となる。
【００３９】
とくに、本実施形態の鼻部冷却用品Ａ１においては、一対の凸部３を鼻翼の左右両側方部分９１の一部（好ましくは、迎香と称される部分）に押し付けることにより、前記部分９１の奥部に存在する血管を圧迫し、この部分の血流を少なくすることが可能である。このことによって、アレルゲンに対する過度な反応状態をより的確に抑え、アレルギ性鼻炎の症状緩和効果を一層優れたものとすることができる。凸部３の先端面は、略球面状であるため、使用者Ｕに大きな苦痛や違和感を与えないようにしつつ、血管を適切に圧迫することが可能である。
【００４０】
本発明者は、鼻部冷却用品Ａ１についての前記したような効果を裏付けるものとして、次のような実証例を得た。実験に用いた鼻部冷却用品は、上記実施形態の鼻部冷却用品Ａ１と同様な構成のものである。鼻部冷却用品Ａ１は、使用に際し、予め冷蔵庫で十分に冷やされた状態とされていたことは勿論である。
【００４１】
〔実証例１〕
被験者は、４４歳、男性であり、医師に花粉症と診断された経緯をもつ。
同被験者は、平成２５年３月下旬、就寝中の午前４時に鼻水が多量に出て咳が止まらなくなり目覚めたが、鼻部冷却用品を使用すると、約１０分後に鼻水および咳が止まった。同日の午後零時頃に鼻がグズグズし始めたために、鼻部冷却用品を再使用すると、約１０分後に前記症状がなくなった。翌朝、鼻は正常であり、同日は、鼻水や咳の症状はなかった。
〔実証例２〕
被験者は、３７歳、男性であり、医師による花粉症との診断は受けていないが、平成２４年春頃から花粉症の症状を感じていた。
同被験者は、平成２５年４月中旬、仕事中の午前１１時頃に鼻水が止まらなくなり、鼻部冷却用品を使用すると、約１０分後に鼻水が止まった。同日の午後５時頃から鼻部冷却用品を１０分間用いることを、適度な時間間隔をおいて３回繰り返した。翌日、鼻水が出る症状はなかった。
〔実証例３〕
被験者は、９歳、男性であり、医師に花粉症と診断された経緯をもつ。
平成２５年９月中旬、午前８時頃に、頭部の発熱とともに、鼻水と咳が出た。これに対応し、鼻部冷却用品を１０分間使用した。その際に被験者は寝てしまうが、２時間経過後に起きてからは鼻水と咳は出なくなった。同日の午後５時および８時に鼻水と咳が少々出たが、その際にはいずれも鼻部冷却用品を１０分間使用することにより症状が緩和した。翌日は、鼻水と咳の症状はなくなった。体温も平熱に戻った。
【００４２】
前記した実証例によっても、本発明に係る鼻部冷却用品によればアレルギ性鼻炎の症状緩和に優れた効果が得られることが理解される。なお、本発明の有効性を認め得る実証例
としては、前記以外の実証例もある。その記載は省略するが、いずれにしても、本発明に係る鼻部冷却用品を用いることにより、アレルギ性鼻炎の症状緩和効果がはっきりと認められる多くの実証例が得られている。
【００４３】
図４〜図１５は、本発明の他の実施形態を示している。これらの図において、前記実施形態と同一または類似の要素には、前記実施形態と同一の符号を付し、重複説明は省略する。
【００４４】
図４に示す鼻部冷却用品Ａ２は、可撓性を有する樹脂製などの基材シート１５の片面に、冷却材として含水ゲル２Ａが積層された構成の冷却シート体Ｓを有している。含水ゲル２Ａの表面は、冷却面Ｃｆであり、含水ゲル２Ａは、この含水ゲル２Ａ内の水が蒸発する際に熱を奪う作用を発揮する。冷却面Ｃｆには、含水ゲル２Ａの乾燥を防止するための保護シート１６が重ねられている。この保護シート１６には、左右一対の凸部３を貫通させるための孔部１６ａが設けられている。
【００４５】
本実施形態によれば、鼻部冷却用品Ａ２を使用する際には、保護シート１６を冷却面Ｃｆから剥がしてから、この冷却面Ｃｆを使用者Ｕの所定部位に接触させればよい。前記した実施形態の鼻部冷却用品Ａ１とは異なり、鼻部冷却用品Ａ２を予め冷蔵庫などを利用して冷やしておく必要はない。したがって、旅行やその他の外出先などにおいて簡単かつ便利に使用することができる。また、含水ゲル２Ａは、湿潤性を有し、その表面には粘着性がある。このため、前記粘着性を利用して鼻部冷却用品Ａ２を使用者Ｕの鼻部などの所定部位に貼り付けることが可能である。その結果、鼻部冷却用品Ａ２を使用者Ｕが手で押さえておく必要性をなくし、または少なくする効果も得られる。
本実施形態および前記実施形態から理解されるように、本発明でいう冷却材は、冷蔵庫などを用いて冷やされることによって熱吸収作用を発揮するものと、冷蔵庫などを用いて冷やさなくても熱吸収作用を発揮するものとのいずれであってもよい。冷却材の具体的な種類・成分などは限定されない。
【００４６】
図５に示す鼻部冷却用品Ａ３の冷却シート体Ｓは、第１領域ＡＲ１の左右横幅方向の略中央に、含水ゲル２Ａの厚み縮小部８０が設けられている。この厚み縮小部８０は、含水ゲル２Ａの厚みが他の部分よりも小さくされた部分であり、含水ゲル２Ａを全く設けていない部分（厚みがゼロ）とすることもできる。このような構成によれば、基材シート１５のうち、厚み縮小部８０に対応する部分が、ヒンジ部１２Ａとなり、鼻部冷却用品Ａ３を略Ｖ字状に曲げ易くすることができる利点が得られる。
【００４７】
図６に示す鼻部冷却用品Ａ４は、冷却シート体Ｓに一対のベルト４ａ，４ｂの各一端部が連設された構成である。これらのベルト４ａ，４ｂの各他端部側には、面ファスナ４０（マジックテープ（登録商標）など）が設けられている。
【００４８】
本実施形態によれば、図６（ｂ）に示すように、ベルト４ａ，４ｂを利用することによって鼻部冷却用品Ａ４を使用者Ｕの顔の所定位置に固定保持させておくことが可能である。図面には表われていないが、ベルト４ａ，４ｂの他端部は、使用者Ｕの後頭部近辺において面ファスナ４０を利用して相互に連結されている。本実施形態においては、鼻部冷却用品Ａ４を使用者Ｕが手で抑えておく必要をなくし、または少なくし、使用者Ｕにとって便利である。ベルト４ａ，４ｂを連結させるための手段として、面ファスナ４０を用いているために、ベルト４ａ，４ｂの長さ調整なども容易であり、使い勝手がよい。
【００４９】
図７に示す鼻部冷却用品Ａ５は、耳掛け用の紐５０を有するマスク５の内側に冷却シート体Ｓが固定して取り付けられた構成である。冷却シート体Ｓは、マスク５から取り外し可能である状態と、取り外し不可能な状態とのいずれであってもよい。
【００５０】
本実施形態によれば、花粉などのアレルギ源が口や鼻の中に直接進入することがマスク５を利用して回避し得ることに加え、冷却シート体Ｓを使用者Ｕの顔の所定位置に固定保持することもマスク５を利用して行なうことができる。さらに、冷却シート体Ｓの全体または略全体をマスク５によって隠すことによって、鼻部冷却用品Ａ５が外部から目立たないようにすることもできる。
【００５１】
図８に示す鼻部冷却用品Ａ６は、冷却シート体Ｓが、先に述べた他の実施形態の鼻部冷却用品Ａ１〜Ａ５よりも大きいサイズに形成されており、第１および第２領域ＡＲ１，ＡＲ２に加え、使用者Ｕの両目（およびその周辺部）を覆うための左右一対の第３領域ＡＲ３をさらに備えている。好ましくは、第３領域ＡＲ３には、使用者Ｕの鼻根部の左右両側を押圧するための一対の凸部８が設けられている。この凸部８は、たとえば前述した凸部３と同様な構成のものである。
【００５２】
本実施形態によれば、冷却シート体Ｓの第３領域ＡＲ３を利用して使用者Ｕの両目およびその周辺部を冷やすことが可能であり、目のかゆみや充血などを緩和し、アレルギ症状を抑制する上で一層好ましい効果が期待できる。また、一対の凸部８を利用して使用者Ｕの鼻根部の両側を押圧すれば、その奥部の血管を圧迫し、目の神経や組織に向かう血流をより抑制する作用が得られる。したがって、目のかゆみや充血などを、より効果的に緩和することが可能である。
本実施形態から理解されるように、本発明に係る鼻部冷却用品は、使用者の外鼻や、鼻翼の左右両側方の部分に加え、使用者Ｕの目などの他の部位を同時に冷やすことが可能なものとして構成することもできる。
【００５３】
図９に示す鼻部冷却用品Ａ７においては、使用者Ｕの鼻翼の左右両側方の部分を押圧するための凸部３Ａが、袋体１を利用して構成されている。より具体的には、袋体１を構成する樹脂製シート１１には、膨出部１１ａが部分的に形成されており、この膨出部１１ａ内には、袋体１内の冷却材２の一部が進入している。冷却材２を冷却して硬化させると、前記した膨出部１１ａは、ある程度の硬さをもつ凸部３Ａとなる。
【００５４】
本実施形態によれば、袋体１とは別体の部材を用いて凸部３Ａを構成する必要がなく、製造コストを廉価にすることが可能となる。また、凸部３Ａ内に冷却材２が存在するために、この凸部３Ａの外表面を低温状態に維持し、この凸部３Ａが接触する部分を冷やす効果を高くすることができる利点も得られる。
本実施形態の凸部３Ａと同様な構成は、図８に示した凸部８についても適用することが可能である。
【００５５】
図１０に示す鼻部冷却用品Ａ８は、冷却シート体Ｓａ、ハンドル６、および補助部材３Ｂを用いて構成されている。この鼻部冷却用品Ａ８は、図１２および図１３を参照して後述するように、使用者Ｕの鼻部およびその近辺を左右片側ずつ冷やすためのものである。冷却シート体Ｓａは、図１１に示すように、偏平状の袋体１内に冷却材２を封入させた構造であるが、たとえば正面視略卵形状またはこれに類する形状であり、左右横幅方向の略中央部の下部寄りの位置には、孔部１３が設けられている。好ましくは、孔部１３の上側および下側には、この冷却シート体Ｓａを略Ｖ字状に折り曲げることを容易とするための上下方向（縦方向）に延びたヒンジ部１２が設けられている。
【００５６】
図１０において、ハンドル６および補助部材３Ｂは、たとえば樹脂製である。ハンドル６は、使用者Ｕが片手で把持するのに好ましい形状およびサイズとされ、かつその先端部には、フランジ部６０および軸部６１が設けられている。軸部６１は、冷却シート体Ｓａの孔部１３に挿通され、かつこの軸部６１の先端部には、補助部材３Ｂが取り付けられて
いる。補助部材３Ｂは、たとえば半球状であり、軸部６１が嵌入する凹部３１を有している。凹部３１および軸部６１には、互いに係脱可能な係合用の凹部３２および凸部６２が設けられており、これらが係合することにより、軸部６１に対する補助部材３Ｂの取り付けが図られている。係合用の凹部３２および凸部６２の係合状態は、補助部材３Ｂを比較的強い力で引っ張ることによって強制的に解除することが可能であり、このことにより軸部６１から補助部材３Ｂを取り外すことが可能である。本実施形態の鼻部冷却用品Ａ８においては、冷却シート体Ｓａがハンドル６のフランジ部６０と補助部材３Ｂとの間に挟み付けられてハンドル６の先端部に保持されている。補助部材３Ｂは、凸部３を兼用している。
【００５７】
冷却シート体Ｓａのうち、凸部３の周辺領域が第２領域ＡＲ２に相当する。これに対し、第１領域ＡＲ１の位置は特定されず、次に説明するように、鼻部冷却用品Ｓ８の使用の仕方如何によって、冷却シート体Ｓａの左右の両側縁寄り領域の一方が、第１領域ＡＲ１とされる。
【００５８】
本実施形態の鼻部冷却用品Ａ８は、次のような態様で使用される。
まず、図１２（ａ）に示すように、使用者Ｕがハンドル６を把持し、たとえば第２領域ＡＲ２を鼻翼の右側方部分９１（図面に向かって左側）に接触させ、かつその特定部分を凸部３によって圧迫させるようにして用いる。その際、同図（ｂ）に示すように、冷却シート体Ｓａをヒンジ部１２の位置で曲げた格好とすることにより、冷却シート体Ｓａの右側縁寄り領域を第１領域ＡＲ１とし、外鼻９０の右側の片面（図面に向かって左側の片面）や外鼻９０の頂部付近に接触させる。このことにより、外鼻９０を冷やすこともできる。このような使用態様によって鼻部の右側領域を適度に冷やした後には、前記とは反対に、図１３に示すように、第２領域ＡＲ２を鼻翼の左側方部分９１に接触させ、かつその特定部分を凸部３によって圧迫させる。その際には、冷却シート体Ｓａをヒンジ部１２の位置で曲げることにより、冷却シート体Ｓａの左側縁寄り領域を、外鼻９０の左側の片面（図面に向かって右側の片面）や外鼻９０の頂部付近に接触させることができる。
【００５９】
前記したような態様で使用すれば、使用者Ｕの鼻部の右側領域および左側領域を個別に、かつ順次冷やすことができる。使用者Ｕの鼻部の左右の広い領域を冷却シート体Ｓａによって一括して覆う使用態様ではないため、使用者Ｕに対する圧迫感が少なく、使用者Ｕにとって鼻部冷却用品Ａ８を気軽に使用し易くなる効果が期待できる。冷却シート体Ｓａのサイズは、前記した実施形態の冷却シート体Ｓと比較すると約半分のサイズとなる。したがって、冷却シート体Ｓａのコストを廉価とし、かつ鼻部冷却用品Ａ８の使い勝手を良くすることもできる。さらに、補助部材３Ｂが、鼻翼の側方部分９１の一部を押圧するための凸部３を兼用しているために、その構成は合理的であり、全体の部品点数を少なくすることが可能である。ハンドル６に加える力の加減によって凸部３による所定部分への圧迫度合いを容易に調整することが可能であるため、使い勝手が一層良い。
【００６０】
鼻部冷却用品Ａ８は、図１０に示したように、組立状態と分解状態とに容易に切り替えることが可能である。したがって、使用により冷却シート体Ｓａが温まってきたような場合には、この冷却シート体Ｓａを、冷蔵庫などで別途冷却された他の冷却シート体と容易かつ迅速に交換することによって、鼻部を冷やすことが好適に継続可能となる。また、冷却シート体Ｓａを冷却する場合には、冷却シート体Ｓａをハンドル６から取り外した状態で冷蔵庫に入れればよく、冷蔵庫内における占有スペースを小さくすることも可能である。
【００６１】
本実施形態から理解されるように、本発明に係る鼻部冷却用品については、外鼻およびその周辺領域を一括して冷やすことが可能な構成に代えて、外鼻およびその周辺領域のうち、左右両側の一方のみを冷やすことが可能な構成とすることもできる。
【００６２】
図１４に示す鼻部冷却用品Ａ９においては、軸部６１および凹部３１に、互いに螺合が可能なネジ部６３，３３を形成している。このような構成によれば、補助部材３Ｃを締付け用のナットと同様な構成とし、この補助部材３Ｃの回転操作によって軸部６１への補助部材３Ｃの着脱を簡単に行なうことができる。本実施形態から理解されるように、補助部材３Ｃとハンドル６とを結合させるための具体的な構造は問わない。前記したような実施形態とは異なり、補助部材３Ｃに軸部を形成して、この軸部を冷却シート体Ｓａの孔部１３に挿通させ、かつ前記軸部をハンドル６に設けられた孔部に嵌入させるといった手段を採用することもできる。勿論、本発明では、補助部材３Ｃを凸部３として兼用せず、冷却シート体Ｓａに凸部３を別途設けた構成とすることもできる。
【００６３】
図１５（ａ）に示す鼻部冷却用品Ａ１０においては、外鼻およびその周辺の所定領域を一括して冷やすことが可能なサイズに形成され、かつヒンジ部１２が設けられた冷却シート体Ｓに、左右一対の孔部１３が設けられている。ハンドル６Ａには、左右一対のフランジ部６０および軸部６１が設けられており、これらの軸部６１が孔部１３に挿通された上で、一対の軸部６１のそれぞれの先端部には補助部材３Ｂが取り付けられ、冷却シート体Ｓをハンドル６Ａに保持させることが可能とされている。
【００６４】
本実施形態においては、図１５（ｂ）に示すような態様で用いられ、たとえば図１に示した鼻部冷却用品Ａ１と同様な鼻部冷却作用を好適に得ることが可能である。また、２つの補助部材３Ｂのそれぞれは、凸部３を兼用しており、これらの部分を利用して鼻翼の左右両側方部分９１のそれぞれの特定箇所を適切に圧迫することも可能である。本実施形態によれば、図１０〜図１４に示した実施形態と同様に、ハンドル６Ａへの冷却シート体Ｓの着脱が容易であり、冷却シート体Ｓが温まってしまった場合にこれを他の冷却シート体と交換するようなことが簡単に行なえる。また、冷却シート体Ｓをハンドル６Ａから取り外した状態で冷蔵庫に収容させるといったことも可能であり、融通性にも優れる。
【００６５】
本発明は、上述した実施形態の内容に限定されない。本発明に係る鼻部冷却用品の各部の具体的な構成は、本発明の意図する範囲内において種々に設計変更自在である。
【００６６】
前述した実施形態の冷却シート体Ｓ，Ｓａは、たとえば正面視長円状，楕円状，または卵形状とされていたが、これ以外の形状とすることが可能である。また、人により鼻の大きさは相違するため、冷却シート体の具体的なサイズも特定されない。本発明に係る鼻部冷却用品を製造・販売するような場合には、たとえば大人用あるいは子供用などの種類に区分して、それぞれ標準的なサイズのものを製造・販売したり、あるいは冷却シート体を大・中・小などの複数段階にサイズ分けして製造・販売するといったことも可能である。本発明に係る鼻部冷却用品は、平面的なシート状のものに代えて、たとえば外鼻を覆うのに好ましい立体形状に形成することもできる。
【００６７】
本発明において、使用者の鼻翼の左右両側方部分の一部を押圧するための凸部は、半球状あるいは球状に限定されず、他の形状とすることができる。凸部の具体的な材質なども限定されない。また、その具体的な数も限定されず、左右一対以上に設けてもよい。
【００６８】
本発明においては、冷却シート体を使用者の鼻部に接触させた状態を維持させるための手段として、図６に示したベルト、図７に示したマスク、および図１０に示したハンドルなどを利用する手段の他に、たとえば冷却シート体の左右両サイドなとの適当な位置に粘着テープを設けて、冷却シート体を使用者の顔面に貼着させる手段を採用することができる。さらには、たとえば冷却シート体に紐を取り付け、かつこの紐を使用者の両耳に引っ掛けるようにする手段など、種々の手段を採用することができる。
【符号の説明】
【００６９】
Ａ１〜Ａ１０  鼻部冷却用品（鼻部冷却用品）
ＡＲ１  第１領域
ＡＲ２  第２領域
ＡＲ３  第３領域
Ｓ，Ｓａ  冷却シート体
Ｃｆ  冷却面
Ｕ  使用者
１  袋体
２  冷却材
２Ａ  含水ゲル（冷却材）
３，３Ａ  凸部
３Ｂ，３Ｃ  補助部材
６，６Ａ  ハンドル
１２，１２Ａ  ヒンジ部
１３  孔部
１５  基材シート
９０  外鼻（使用者の）
９１  使用者の頬のうち、鼻翼の側方部分
【図１】
2015109944.tif 000003
【図２】
2015109944.tif 000004
【図３】
2015109944.tif 000005
【図４】
2015109944.tif 000006
【図５】
2015109944.tif 000007
【図６】
2015109944.tif 000008
【図７】
2015109944.tif 000009
【図８】
2015109944.tif 000010
【図９】
2015109944.tif 000011
【図１０】
2015109944.tif 000012
【図１１】
2015109944.tif 000013
【図１２】
2015109944.tif 000014
【図１３】
2015109944.tif 000015
【図１４】
2015109944.tif 000016
【図１５】
2015109944.tif 000017